(57)【要約】【課題】墨汁の漏れを有効に防止できると共に、良好な線引きを行うことのできる墨壷を提供する。【解決手段】ケースと、このケース内に回転可能に設けられた糸巻２と、この糸巻２に外部へ引き出し可能な状態で巻装される糸３と、この糸３への墨汁供給手段とを備え、糸巻２に墨汁吸収体６が収納され、この墨汁吸収体６は、糸巻２の側壁２１ｂに開設された第一窓部２１ｆを介して糸巻２から露出されると共に、糸巻２に巻装された糸３の一部に、糸巻２の周壁２１ｅに開設された第二窓部２１ｇを介して接触されたものである。墨汁吸収体６は、糸３に供給された墨汁のうちの余剰な分を吸収し、また、いったん吸い取った墨汁を、糸３の引き出しまたは巻き取りの際の回転による遠心力や、毛細管現象によって糸３へ還流して均一に浸透させる機能を奏する。【選択図】図５
2007301643.tif 000002
【特許請求の範囲】
【請求項１】
ケースと、このケース内に回転可能に設けられた糸巻と、この糸巻に前記ケースの外部へ引き出し可能な状態で巻装された糸と、この糸への墨汁供給手段とを備え、前記糸巻に墨汁吸収体が収納され、この墨汁吸収体は、前記糸巻の側壁に開設された第一窓部を介して前記糸巻から露出されると共に、前記糸巻に巻装された前記糸の一部に、前記糸巻の周壁に開設された第二窓部を介して接触されたことを特徴とする墨壷。
【請求項２】
円周方向へ延びる第二窓部が、糸巻の周壁に円周方向等間隔で複数開設されたことを特徴とする請求項１に記載の墨壷。
【発明の詳細な説明】
【技術分野】
【０００１】
本発明は、木工あるいは建築において、墨汁を付着させた糸を張設して墨打ちを行う墨壷に関する。
【背景技術】
【０００２】
木工や建築における墨打ち作業で使用される墨壷の一種として、従来から、例えば下記の特許文献１に記載された構造のものが知られている。
【特許文献１】実公平７−４８３８１号公報
【０００３】
特許文献１に記載の墨壷は、ケースの内部に回転可能に設けられた糸巻（インク吸蔵機構）が、糸を巻装する回転ドラムと、この回転ドラム内に配置された吸湿材からなる。吸湿材は、墨汁が含浸されるスポンジ状のインクドラムと、その外周を包囲し、墨汁を外周側へ漏出可能なゴム製のインクガイドと、さらにその外周を包囲するメッシュ状の保護カバーで構成されている。
【０００４】
この墨壷による墨打ち作業においては、まず、糸の先端に繋着された止めピン（かるこ）を相手材の墨打ち起点に止着してから、ケースを移動させることによって糸巻から糸を引き出し、前記相手材の墨打ち対象面に沿って張設する。この糸には、回転ドラムに巻装された状態において、この回転ドラム内の吸湿材のインクドラムに含浸された墨汁が、ゴム製インクガイド及びメッシュ状保護カバーを介して滲み出して付着・浸透しているので、張設した糸を、墨打ち対象面に向けて手指ではじくことによって、直線状の墨線を転写することができる。また、何度か墨打ち作業を繰り返すことによって、インクドラムにおける墨汁の含浸量が少なくなったら、ケースの側板に開設された小孔から回転ドラムの側板に開設された小孔を介して、前記インクドラムへ墨汁を補給することができる。
【０００５】
ところが、上記従来の墨壷は、インクドラムにおける墨汁の補給量が多過ぎたりすると、回転ドラムの回転に伴ってその余剰分がケース内に飛散し、ケース外部への漏れの原因になっていた。
【発明の開示】
【発明が解決しようとする課題】
【０００６】
本発明は、以上のような点に鑑みてなされたもので、その技術的課題は、墨汁の漏れを有効に防止できると共に、良好な線引きを行うことのできる墨壷を提供することにある。
【課題を解決するための手段】
【０００７】
上述した技術的課題を有効に解決するための手段として、請求項１の発明に係る墨壷は、ケースと、このケース内に回転可能に設けられた糸巻と、この糸巻に前記ケースの外部へ引き出し可能な状態で巻装された糸と、この糸への墨汁供給手段とを備え、前記糸巻に墨汁吸収体が収納され、この墨汁吸収体は、前記糸巻の側壁に開設された第一窓部を介して前記糸巻から露出されると共に、前記糸巻に巻装された前記糸の一部に、前記糸巻の周壁に開設された第二窓部を介して接触されたものである。
【０００８】
なお、本書でいう「墨汁」とは、本来の墨汁に限らず、インクや塗料など、着色された液体をさすものである。
【０００９】
上記構成において、糸巻に収納された墨汁吸収体は、糸に供給された墨汁のうちの余剰な分を吸収するものであり、例えば糸巻に巻装された糸から、回転によってケース内に飛散した墨汁は、第一窓部を介して墨汁吸収体に吸い取られ、あるいは糸巻の内周側へ流れた余剰墨汁は、糸巻の周壁に開設された第二窓部を介して墨汁吸収体に吸い取られる。また、墨汁吸収体は、いったん吸い取った墨汁を、糸の引き出しまたは巻き取りの際の回転による遠心力や、毛細管現象によって、糸巻に巻装された糸へ還流して均一に浸透させる機能を奏する。
【００１０】
また、請求項２の発明に係る墨壷は、請求項１に記載の構成において、円周方向へ延びる第二窓部が、糸巻の周壁に円周方向等間隔で複数開設されたものである。
【００１１】
上記構成によれば、糸巻の周壁に巻かれた糸は、第二窓部が開設された部分では、その円周方向両端部間で、前記周壁の内周側へ張られた状態になるので、墨汁吸収体に良好に接触させることができる。
【発明の効果】
【００１２】
請求項１及び請求項２の発明に係る墨壷によれば、糸に供給された墨汁のうち、余剰な墨汁が、糸巻に収納された墨汁吸収体に第一窓部又は第二窓部を介して吸い取られるので、ケース外部への墨汁の漏洩が有効に防止されると共に、糸への墨汁の浸透が、墨汁吸収体によって均一化されるので、良好な線引きを行うことができる。
【発明を実施するための最良の形態】
【００１３】
以下、本発明に係る墨壷の好ましい実施の形態について、図面を参照しながら説明する。図１は、本発明に係る墨壷の第一の形態を示す一部破断した一側面図、図２は、同じく他側面図、図３は、内部構造を他側面から見た説明図、図４は、図１におけるIV−IV’線で切断した部分断面図、図５は、図４の要部を示す断面図、図６は、糸巻への糸の巻装状態を示す説明図である。
【００１４】
図１、図２及び図３に示されるように、第一の形態における墨壷は、ケース１と、このケース１内に回転可能に設けられた糸巻２と、この糸巻２にケース１の外部へ引き出し可能な状態で巻装された糸３と、前記糸巻２に設けられたばねチャージ部４と、糸３への墨汁供給手段５と、前記糸巻２に収納された墨汁吸収体６と、前記ケース１内における後述の引き出し・巻き戻し経路１Ｃに設けられた第二の墨汁吸収体７とを備える。
【００１５】
ケース１は、図１及び図２に示されるように、細長い握り部１Ａと扁平な円形の糸巻収納部１Ｂを備える。握り部１Ａは、図１に示される一側面側の第一カバー１１と、図２に示される他側面側の第二カバー１２によって開閉可能となっており、糸巻収納部１Ｂは、図１に示される一側面側に着脱可能に係止された皿状のリテーナ１３によって開閉可能となっている。
【００１６】
糸巻２は、図４及び図５に示されるように、外周に糸３を巻回するボビン２１と、このボビン２１の軸方向一側に一体的かつ同心的に設けられたシャーレ状のばねケース２２と、このばねケース２２内に配置されて糸巻２を糸３の巻き取り方向に付勢する渦巻きばね２３と、リテーナ１３の外側に配置された巻き取りハンドル２４とからなり、巻き取りハンドル２４の外側面には、手指で回転操作するための複数の指掛け凹部２４ａが形成されている。巻き取りハンドル２４の軸心部は、リテーナ１３の内周に開設された軸孔１３ｂに挿通されたばねケース２２の中心軸２２ａに、ビス２５を介して結合されている。そしてこれらの部材からなる糸巻２は、リテーナ１３を取り外すことによって、このリテーナ１３と共に糸巻収納部１Ｂから取り出すことができる。
【００１７】
ばねチャージ部４は、図４に示されるように、糸巻２のばねケース２２の内周に同心的かつ相対回転可能な状態に組み込まれたばね芯４１と、ケース１におけるリテーナ１３と反対側の側壁１４の外部にばね芯４１と同心的に配置された円盤状のチャージハンドル４２と、前記側壁１４に開設された軸孔に挿通されたチャージハンドル４２の中心軸に、ビス４４で固定されたクラッチ部材４３と、チャージハンドル４２に設けられたレバー４５とを備える。そして図５に示されるように、糸巻２におけるばねケース２２に収納された渦巻きばね２３は、外周側の一端が糸巻２におけるボビン２１の筒状張り出し部２１ａに固定されると共に、内周側の他端が、ばね芯４１に固定されている。したがって、渦巻きばね２３は、糸巻２とばね芯４１の相対回転によって蓄勢又は弛緩するものである。
【００１８】
ばね芯４１の一端には、図５に示されるように、円盤状のクラッチ盤４１ａが形成されており、クラッチ部材４３は、ケース１の側壁１４との間に圧縮状態に配置されたコイルスプリング４３ａによってクラッチ盤４１ａに押し付けられ、このクラッチ盤４１ａに対して、渦巻きばね２３の蓄勢方向にのみ掛合するワンウェイクラッチを構成している。
【００１９】
ばねチャージ部４におけるレバー４５は、チャージハンドル４２とケース１の側壁１４との間に配置され、長手方向中間部分が、チャージハンドル４２に、その軸心と直交する方向へ延びる支持軸を中心としてシーソー運動可能な状態に支持されている。レバー４５の一端には、チャージハンドル４２の円周方向一箇所に開設された指掛け孔４２ａ内に露出した操作端部４５ａが形成されており、他端に、ケース１の側壁１４側へ向けて突出した被係止部４５ｂが形成されており、この被係止部４５ｂとチャージハンドル４２との間には、コイルスプリング４６が適宜圧縮状態で配置されている。
【００２０】
一方、ケース１の側壁１４には、チャージハンドル４２をその軸心の周りに回転させた時に、これと一体的に回転するレバー４５の被係止部４５ｂの軌跡と対応する円弧状に延び、糸巻２の巻き取り方向と反対の方向、言い換えれば渦巻きばね２３を弛緩させる方向の端部へ向かって漸次深くなり、その最深部が前記被係止部４５ｂと掛合可能な段差状を呈するスパイラル溝１５が形成されている。
【００２１】
図５に示されるように、糸巻２におけるボビン２１の内周面と、ばね芯４１におけるクラッチ盤４１ａの外周部との間は、ゴム状弾性材料からなるパッキン２６で密封されており、ケース１における糸巻収納部１Ｂの開口部と、これに着脱自在に設けられたリテーナ１３の外周部との間は、ゴム状弾性材料からなるＯリング１６で密封されており、リテーナ１３の内周の軸孔１３ｂと、これに挿通されたばねケース２２の中心軸２２ａとの間は、ゴム状弾性材料からなるＯリング２７で密封されており、ケース１の側壁１４に開設された軸孔１４ａと、これに挿通されたチャージハンドル４２の中心軸との間は、ゴム状弾性材料からなるＯリング４７で密封されている。
【００２２】
糸巻２のボビン２１は、図５に示されるように、軸方向両側の側壁２１ｂ，２１ｃと、この側壁２１ｂ，２１ｃの内周部間に同心的に形成された内周筒部２１ｄ及びその外周側の周壁２１ｅと、この内周筒部２１ｄと周壁２１ｅの間に円周方向４等配状に形成されたリブ２１ｈを有し、糸３は、周壁２１ｅの外周に巻き付けられている。
【００２３】
糸巻２に設けられた墨汁吸収体６は、図６に示されるように、綿、フェルトあるいはスポンジ等からなり、ボビン２１の内周筒部２１ｄと周壁２１ｅの間に形成された空間に充填されている。この空間は、図３及び図６に示されるようにリブ２１ｈによって円周方向４等配状に分割され、それぞれ、ボビン２１の側壁２１ｂに開設された第一窓部２１ｆと、ボビン２１の周壁２１ｅにリブ２１ｈ間に位置して開設された第二窓部２１ｇを有する。このため、墨汁吸収体６は、第一窓部２１ｆを介してケース１の室内に露出されると共に、周壁２１ｅに巻装された糸３の一部に、第二窓部２１ｇを介して接触されている。
【００２４】
また、糸巻２（ボビン２１）に巻かれた糸３は、図６に示されるように、各第二窓部２１ｇの両端間での張力によって、墨汁吸収体６に良好に接触する。そして、糸３による墨汁吸収体６に対する締め付けが、周壁２１ｅ及びリブ２１ｈによって規制されるので、墨汁吸収体６に糸３を直接巻き付けた場合のように墨汁吸収体６が圧縮されることがなく、このため余剰墨汁を良好に吸収する。
【００２５】
ケース１の握り部１Ａの一側面側における第一カバー１１の内側は、図４に示されるように、引き出し・巻き戻し経路１Ｃとなっていて、この引き出し・巻き戻し経路１Ｃには、スポンジ、綿、あるいはフェルト等からなる第二の墨汁吸収体７が充填されており、糸巻２（ボビン２１）から導出された糸３は、この第二の墨汁吸収体７に接触されるようになっている。なお、引き出し・巻き戻し経路１Ｃの側部開口を開閉可能に塞いでいる第一カバー１１はゴム状弾性材料からなるものであって、その外縁が、前記側部開口の縁部にスライド式に嵌め込まれることによって、引き出し・巻き戻し経路１Ｃを密封している。
【００２６】
糸３への墨汁供給手段５は、ケース１の握り部１Ａの他側面側における第二カバー１２の内側空間１Ｄに設けられている。なお、第二カバー１２は、糸巻収納部１Ｂと反対側の端部に形成されたヒンジ部１２ａを中心として開閉されるものである。
【００２７】
詳しくは、墨汁供給手段５は、図３及び図４に示されるように、第二カバー１２の内側空間１Ｄと引き出し・巻き戻し経路１Ｃの間の仕切壁１Ｅに形成されたカセット装填部１７に着脱可能に装填される合成樹脂製のカセットボトル５１と、前記カセット装填部１７の支持突起１７ａに取り付けられ、吐出口５２ａが糸巻２におけるボビン２１の外周側を向いたゴム状弾性材料製の吐出ノズル５２とからなる。カセットボトル５１は、手指で加圧することによって容易に凹み、かつ所要の弾性復元力を有するものであって、カセット装填部１７に装填された状態では、円筒状の抽出口５１ａが、吐出ノズル５２に密嵌されるようになっている。
【００２８】
第二カバー１２の内側面には、吐出ノズル５２の吐出口５２ａを押圧可能な押圧突起１２ｂが形成されている。図４には、吐出口５２ａが開いた状態で示されているが、図４のように第二カバー１２を閉じた状態では、実際には、吐出口５２ａが前記押圧突起１２ｂでつぶされることにより、カセットボトル５１内の墨汁の不用意な流出を阻止するようになっている。
【００２９】
ケース１の握り部１Ａの先端には、糸押え１８が形成されていて、その内周は糸繰り出し口１Ｆとなっている。糸繰り出し口１Ｆは、引き出し・巻き戻し経路１Ｃを経由する糸３が通されていて、糸押え１８は、この糸繰り出し口１Ｆから引き出した糸３を相手材に押し付けるためのものである。
【００３０】
なお、糸繰り出し口１Ｆから引き出される糸３の先端には、これを相手材に止着するための針を有する不図示のかるこが繋着されていて、このかるこは、糸繰り出し口１Ｆの外側に形成された保持凹部１Ｇに保持されるようになっている。
【００３１】
第一の形態による墨壷は、以上の構成を備えるものであって、この墨壷を用いて墨打ち（線引き）を行う場合は、まず必要に応じて、糸巻２のボビン２１に巻装された糸３に、適量の墨汁を供給し、付着させておく。この墨汁供給は、ケース１の握り部１Ａにおける第二カバー１２を開いて、墨汁供給手段５におけるカセットボトル５１を手指で押すことにより行うことができる。この場合、ケース１を、その糸巻収納部１Ｂが下側を向くようにすれば、カセットボトル５１から吐出ノズル５２を介して吐出される墨汁を、ボビン２１に巻装された糸３に確実に滴下することができる。
【００３２】
供給された墨汁は、毛細管現象によって、ボビン２１に巻かれた糸３の全体に行きわたる。また、糸３からケース１における糸巻収納部１Ｂ内へ飛散したり流れ落ちた墨汁は、ボビン２１の側壁２１ｂに開設された第一窓部２１ｆから露出した墨汁吸収体６に吸い取られ、内周側へ流れた余剰墨汁は、ボビン２１の第二窓部２１ｇを介して墨汁吸収体６に吸い取られる。糸巻収納部１Ｂは、Ｏリング１６、２７、４７などで密封されているので、糸巻収納部１Ｂからケース１の外部へ墨汁が容易に漏れるようなことはないが、それに加えて、墨汁吸収体６により余剰墨汁が吸収されるので、ケース１の外部へ墨汁が漏洩するのを有効に防止することができる。
【００３３】
そして、墨打ち作業においては、まず、糸３の先端に繋着された不図示のかるこを、相手材の表面における墨打ちの一方の起点に止着してから、ケース１を墨打ちの他方の起点へ向けて移動させると、糸巻２の回転を伴いながら、そのボビン２１に巻かれた糸３が、ケース１の移動距離分だけ繰り出されて行く。
【００３４】
このとき、糸巻２に設けられた墨汁吸収体６は、いったん吸い取った墨汁を、糸３を引き出す際の回転による遠心力や、毛細管現象によって、ボビン２１に巻装された糸３へ還流して均一に浸透させる機能を奏する。更に、この糸３が、引き出し・巻き戻し経路１Ｃを通って糸繰り出し口１Ｆから引き出される過程で第二の墨汁吸収体７と摺接するので、糸３に付着した墨汁のムラが均され、均一に墨汁が付着した状態となる。
【００３５】
ケース１を墨打ちの他方の起点まで移動させたら、このケース１の糸押え１８の先端で糸３を相手材に押止することによって、糸３をかることの間に張設し、この糸３を、相手材の表面に向けて指ではじいて打ち付けることによって、直線状の墨線を転写することができる。このとき、糸３には墨汁が過不足なく均一に付着しているので、必要以上に太く、あるいは、薄く斑らな線になったりせず、明瞭な墨打ち線を得ることができる。
【００３６】
墨打ち作業終了後は、かるこを相手材から引き抜けば、糸３の繰り出し過程で蓄勢された渦巻きばね２３の弛緩動作によって、糸巻２が巻き取り方向に回転するため、糸３は、かるこがケース１の保持凹部１Ｇに半収納状態に係止されるまで、ボビン２１に自動的に巻き取られる。
【００３７】
次に、図７は、本発明に係る墨壷の第二の形態を示す一側面図、図８は、同じく他側面図、図９は、図８におけるIX−Ｏ−IX’線で切断した断面図、図１０は、図９におけるＸ−Ｘ’線で切断した断面図、図１１は、図９の要部を示す断面図、図１２は、第二の形態による墨壷を用いた墨打ち作業を示す説明図である。
【００３８】
第二の形態による墨壷も、ケース１と、このケース１内に回転可能に設けられた糸巻２と、この糸巻２にケース１の外部へ引き出し可能な状態で巻装され先端にかるこ８が繋着された糸３と、前記糸巻２に設けられたばねチャージ部４と、糸３への墨汁供給手段５と、糸巻２に収納された墨汁吸収体６と、前記ケース１内における引き出し・巻き戻し経路１Ｃに設けられた第二の墨汁吸収体７とを備える。
【００３９】
ケース１は、図７、図８及び図９に示されるように、糸巻収納部１Ｂと、頭部１Ｈと、糸案内部１Ｉと、ホルダ１Ｊを有し、このホルダ１Ｊに人差し指を挿入した状態で、あたかも拳銃を握るように、片手でしっかり握ることができる形状となっている。
【００４０】
糸巻収納部１Ｂと、糸巻２及びばねチャージ部４は、基本的には先に説明した第一の形態と同様に構成されている。
【００４１】
したがって第二の形態においても、糸巻２には墨汁吸収体６が内蔵されており、この墨汁吸収体６は、綿、フェルトあるいはスポンジ等からなり、図１１に示されるように、ボビン２１の内周筒部２１ｄと周壁２１ｅの間にリブ２１ｈによって形成された複数の空間に充填されている。ボビン２１の側壁２１ｂには、図１０に示されるように、第一窓部２１ｆが円周方向４等配状に開設されており、ボビン２１の周壁２１ｅには、リブ２１ｈ間に位置して第二窓部２１ｇが円周方向４等配状に開設されている。このため、墨汁吸収体６は、第一窓部２１ｆを介してケース１の室内に露出されると共に、巻装された糸３の一部に、第二窓部２１ｇを介して接触されている。
【００４２】
また、糸巻２（ボビン２１）の周壁２１ｅに巻かれた糸３は、先に説明した図６に示されるように、第二窓部２１ｇが開設された部分では、張力によって墨汁吸収体６に良好に接触する。そして、糸３による墨汁吸収体６に対する締め付けが、周壁２１ｅ及びリブ２１ｈによって規制されるので、墨汁吸収体６に糸３を直接巻き付けた場合のように墨汁吸収体６が圧縮されることがなく、このため余剰墨汁を良好に吸収する。
【００４３】
糸案内部１Ｉの内側は引き出し・巻き戻し経路１Ｃとなっており、この引き出し・巻き戻し経路１Ｃには、スポンジ、綿、あるいはフェルト等からなる第二の墨汁吸収体７が充填され、糸巻２（ボビン２１）から導出された糸３は、この第二の墨汁吸収体７に接触されるようになっている。なお、引き出し・巻き戻し経路１Ｃの側部開口を開閉可能に塞いでいるカバー１１’はゴム状弾性材料からなるものであって、その外縁が、前記側部開口の縁部に嵌め込まれることによって、引き出し・巻き戻し経路１Ｃを密封している。
【００４４】
この形態において、図９及び図１０に示されるように、糸３への墨汁供給手段５は、頭部１Ｈ内に画成された墨汁タンク５３と、この墨汁タンク５３に設けられたポンプ装置５４からなり、このポンプ装置５４は、ダイアフラム５４１と、ポンプハウジング５４２と、これに取り付けられた吸入弁５４３及び吐出弁５４４と吸入ノズル５４５及び吐出ノズル５４６からなる。
【００４５】
詳しくは、ダイアフラム５４１はゴム状弾性材料からなるものであって、半球のドーム状に形成され、手指で押圧することによって容易に凹み、かつ所要の弾性復元力を有するものである。墨汁タンク５３には、ダイアフラム５４１と一体形成された密栓部材５４８で開閉される墨汁注入口から、所定量の墨汁を封入することができる。吸入ノズル５４５は墨汁タンク５３内に開口しており、吐出ノズル５４６は、墨汁タンク５３を貫通して、糸巻収納部１Ｂ内に、糸巻２におけるボビン２１の外周位置に臨んで開口している。吸入弁５４３は、ダイアフラム５４１の内側のポンプ室５４ａが負圧になった時に開弁して、吸入ノズル５４５からポンプ室５４ａへ向かう墨汁の流れを許容し、それ以外は閉弁するものである。また、吐出弁５４４は、ポンプ室５４ａが加圧された時に開弁して、ポンプ室５４ａから吐出ノズル５４６へ向かう墨汁の流れを許容し、それ以外は閉弁するものである。
【００４６】
上述の構成を備える第二の形態による墨壷を用いて墨打ち（線引き）を行う場合は、糸巻２のボビン２１に巻装された糸３に、適量の墨汁を供給し、付着させておく。この墨汁供給は、ポンプ装置５４におけるドーム状ダイアフラム５４１を手指で所要回数押すことにより行うことができる。
【００４７】
すなわち、手指で押されることによっていったん凹んだドーム状ダイアフラム５４１が、その弾性により復元される過程では、ポンプ室５４ａの容積が拡大して負圧になるので、吐出弁５４４が閉弁すると共に吸入弁５４３が開弁し、墨汁タンク５３内の墨汁が、吸入ノズル５４５からポンプ室５４ａへ吸い上げられる。次に、ダイアフラム５４１が押される過程では、ポンプ室５４ａの容積が減少して加圧されることによって、吸入弁５４３が閉弁すると共に吐出弁５４４が開弁するので、ポンプ室５４ａ内の墨汁が、吐出ノズル５４６から糸巻収納部１Ｂ内の、ボビン２１に巻装された糸３へ向けて供給される。糸３への墨汁の供給量は、ダイアフラム５４１を押す回数によって、任意に調整できる。そして、供給された墨汁は、毛細管現象によって、ボビン２１に巻かれた糸３の全体に行きわたる。
【００４８】
なお、ボビン２１に巻装された糸３へ、ポンプ装置５４によって確実に墨汁を供給するには、吐出ノズル５４６の開口端部がボビン２１の真上に位置するように、ケース１を、その糸押え１８が下を向いた状態とすることが望ましい。このようにすれば、吐出ノズル５４６から吐出された墨汁は、吐出ノズル５４６の真下を通るように幾重にも巻かれた糸３へ滴下する。
【００４９】
また、ボビン２１に巻装された糸３からケース１における糸巻収納部１Ｂ内へ飛散したり流れ落ちた墨汁は、図１１に示されるボビン２１の側壁に開設された第一窓部２１ｆから露出した墨汁吸収体６に吸い取られ、前記糸３の内周側へ流れた余剰墨汁は、ボビン２１の周壁２１ｅに開設された第二窓部２１ｇを介して墨汁吸収体６に吸い取られる。糸巻収納部１Ｂは、Ｏリング１６、２７、４７などで密封されているので、糸巻収納部１Ｂからケース１の外部へ墨汁が容易に漏れるようなことはないが、加えて、墨汁吸収体６により余剰墨汁が吸収されるので、ケース１の外部へ墨汁が漏洩するのを有効に防止することができる。
【００５０】
そして、墨打ち作業においては、図１２に示されるように、糸３の先端に繋着されたかるこ８の針８ａを、相手材Ｗの表面における墨打ちの一方の起点に止着してから、ケース１を墨打ちの他方の起点へ向けて移動させると、糸巻２の回転を伴いながら、そのボビン２１に巻かれた糸３が、ケース１の移動距離分だけ繰り出されて行く。
【００５１】
このとき、糸巻２に設けられた墨汁吸収体６は、いったん吸い取った墨汁を、糸３の引き出しの際の回転による遠心力や、毛細管現象によって、ボビン２１に巻装された糸３へ還流して均一に浸透させる機能を奏する。更に、この糸３は、引き出し・巻き戻し経路１Ｃを通って繰り出される過程で第二の墨汁吸収体７に摺接するので、糸３に付着した墨汁のムラが均され、均一に墨汁が付着した状態となる。
【００５２】
ケース１を墨打ちの他方の起点まで移動させたら、図１２に示されるように、このケース１における糸案内部１Ｉの先端に設けられた糸押え１８で糸３を押止することによって、糸３をかるこ８との間に張設し、この糸３を、相手材Ｗの表面に向けて指ではじいて打ち付けることによって、直線状の墨線を転写することができる。このとき、糸３には墨汁が過不足なく均一に付着しているので、必要以上に太く、あるいは、薄く斑らな線になったりせず、明瞭な墨打ち線を得ることができる。
【００５３】
墨打ち作業終了後は、かるこ８を相手材Ｗから引き抜けば、糸３の繰り出し過程で蓄勢された渦巻きばね２３の弛緩動作によって、糸巻２が巻き取り方向に回転するため、糸３は、かるこ８がケース１の糸繰り出し口１Ｆに半収納状態に係止されるまで、ボビン２１に自動的に巻き取られる。
【００５４】
なお、本発明は、図示の実施の形態に限らず、例えばケース内の糸巻に巻かれた糸が、墨汁を浸透させた墨汁浸透部材が充填された墨室内を通ってケース外部へ引き出されるものなど、他の構造の墨壷にも適用することができる。
【図面の簡単な説明】
【００５５】
【図１】本発明に係る墨壷の第一の形態を示す一部破断した一側面図である。
【図２】本発明に係る墨壷の第一の形態を示す他側面図である。
【図３】本発明に係る墨壷の第一の形態を、その内部構造を他側面から見た説明図である。
【図４】図１におけるIV−IV’線で切断した部分断面図である。
【図５】図４の要部を示す断面図である。
【図６】本発明に係る墨壷において糸巻への糸の巻装状態を示す説明図である。
【図７】本発明に係る墨壷の第二の形態を示す一側面図である。
【図８】本発明に係る墨壷の第二の形態を示す他側面図である。
【図９】図８におけるIX−Ｏ−IX’線で切断した断面図である。
【図１０】図９におけるＸ−Ｏ−Ｘ’線で切断した断面図である。
【図１１】図９の要部を示す断面図である。
【図１２】第二の形態による墨壷を用いた墨打ち作業を示す説明図である。
【符号の説明】
【００５６】
１  ケース
１Ｂ  糸巻収納部
１Ｃ  引き出し・巻き戻し経路
２  糸巻
２１  ボビン
２１ｂ，２１ｃ  側壁
２１ｅ  周壁
２１ｆ  第一窓部
２１ｇ  第二窓部
２１ｈ  リブ
３  糸
４  ばねチャージ部
５  墨汁供給手段
５１  カセットボトル
５２  吐出ノズル
５３  墨汁タンク
５４  ポンプ装置
６  墨汁吸収体
７  第二の墨汁吸収体
８  かるこ
【図１】
2007301643.tif 000003
【図２】
2007301643.tif 000004
【図３】
2007301643.tif 000005
【図４】
2007301643.tif 000006
【図５】
2007301643.tif 000007
【図６】
2007301643.tif 000008
【図７】
2007301643.tif 000009
【図８】
2007301643.tif 000010
【図９】
2007301643.tif 000011
【図１０】
2007301643.tif 000012
【図１１】
2007301643.tif 000013
【図１２】
2007301643.tif 000014